(57)【要約】【課題】本発明は、側方向カバーに美しい文様を刻み入れ、美的価値を高めた吸収製品を提供する。【解決手段】本発明の吸収製品は、中央カバー、中央カバーの左右側縁部に位置し、中央カバーに一部重畳して接着剤により中央カバーに結合する側方向カバー、中央カバーと側方向カバーが重畳した部位とクリンプ熱封止方式により結合する下部シート、中央カバーと下部シートとの間の空間に位置する吸収コアを備える。本発明の側方向カバーは不織布で形成され、側方向カバーの材料である不織布は、複数の個別的な文様からなる文様を備える。本発明の側方向カバーの文様は、熱圧着エンボシング方式により形成され、熱圧着エンボシング方式により文様が刻まれるとき、圧縮ローラの回転方向に個別的な文様が互いに対して重畳して刻まれる。【選択図】図1
2007216031.tif 000002
【特許請求の範囲】
【請求項１】
中央カバーと、
中央カバーの左右側縁部に位置し、中央カバーに一部重畳して中央カバーに結合する側方向カバーと、
中央カバーと側方向カバーが重畳した部位と結合する下部シートと、
中央カバーと下部シートとの間の空間に位置する吸収コアを備え、
側方向カバーの材料は、熱圧着エンボシング方式により形成された複数の個別的な文様からなる文様を含み、熱圧着エンボシング方式により文様が刻まれるとき、圧縮ローラの回転方向に個別的な文様が互いに対して重畳する吸収製品。
【請求項２】
中央カバーの材質は、穿孔フィルム、不織布または不織布とフィルムを積層することにより形成された物質であり、不織布としてはTABCW, TBCW, SBWまたはスパンレースが用いられる請求項1に記載の吸収製品。
【請求項３】
側方向カバーの材質は、不織布、または不織布とフィルムを積層することにより形成された物質であり、不織布としてはTABCW, TBCW, SBWまたはスパンレースが用いられる請求項1または2に記載の吸収製品。
【請求項４】
側方向カバーの材質である不織布は、親水性な請求項3に記載の吸収製品。
【請求項５】
熱圧着エンボシングにより文様が刻まれる部位の側方向カバーの厚さは0.03mm-1mmであり、文様が刻まれていない部位の側方向カバーの厚さは0.3mm-2mmである請求項1または2に記載の吸収製品。
【請求項６】
中央カバーと側方向カバーは、重畳部位で接着剤により結合する請求項1または2に記載の吸収製品。
【請求項７】
中央カバーと側方向カバーの重畳部位は、クリンプ熱封止方式により下部シートに結合する請求項1または2に記載の吸収製品。
【請求項８】
側方向カバーの材質である不織布は、坪量が10gsm-100gsmである請求項3に記載の吸収製品。
【請求項９】
側方向カバーの材質である不織布を構成する繊維の太さが10デニール以下である請求項3に記載の吸収製品。
【請求項１０】
側方向カバーの材質である不織布を構成する繊維の太さが3デニール以下である請求項3に記載の吸収製品。
【請求項１１】
個別的な文様は曲線または直線と曲線の混合からなり、文様をなす線の厚さが0.2mm-3mmである請求項1または2に記載の吸収製品。
【請求項１２】
左側側方向カバーと右側側方向カバーの文様は、互いに非対称である請求項1または2に記載の吸収製品。
【請求項１３】
上部シートと、
縁部部分が上部シートと結合した下部シートと、
上部シートと下部シートとの間の空間に位置する吸収コアを備え、
上部シートが熱圧着エンボシング方式により形成された複数の個別的な文様からなる文様を含み、熱圧着エンボシング方式により文様が刻まれるとき、圧縮ローラの回転方向に個別的な文様が互いに対して重畳する吸収製品。
【請求項１４】
上部シート全体が熱圧着エンボシング方式により形成された複数の個別的な文様からなる文様を含む請求項13に記載の吸収製品。
【請求項１５】
上部シートのうち、側面部分にのみ熱圧着エンボシング方式により形成された複数の個別的な文様が刻まれる請求項13に記載の吸収製品。
【請求項１６】
個別的な文様は曲線または直線と曲線の混合からなり、文様をなす線の厚さが0.2mm-3mmである請求項13乃至15のうちいずれか一項に記載の吸収製品。
【請求項１７】
上部シートと下部シートは、クリンプ熱封止方式により結合する請求項13乃至15のうちいずれか一項に記載の吸収製品。
【請求項１８】
上部シートの材質は不織布、または不織布とフィルムを積層することにより形成された物質であり、不織布としてはTABCW, TBCW, SBWまたはスパンレースが用いられる請求項13乃至15のうちいずれか一項に記載の吸収製品。
【請求項１９】
上部シートの材質である不織布は、坪量が10gsm-100gsmである請求項18に記載の吸収製品。
【請求項２０】
上部シートの材質である不織布を構成する繊維の太さが10デニール以下である請求項18に記載の吸収製品。
【請求項２１】
上部シートの材質である不織布を構成する繊維の太さが3デニール以下である請求項18に記載の吸収製品。
【請求項２２】
熱圧着エンボシングにより文様が刻まれる部位の上部シートの厚さは0.03mm-1mmであり、文様が刻まれない部位の上部シートの厚さは0.3mm-2mmである請求項13乃至15のうちいずれか一項に記載の吸収製品。
【請求項２３】
上部シートの材質である不織布は親水性な請求項18に記載の吸収製品。
【発明の詳細な説明】
【技術分野】
【０００１】
本発明は生理用ナプキン、おむつ、尿失禁パッド、パンティライナーなど吸収製品に関するものである。
【背景技術】
【０００２】
一般に吸収製品は大きく上部シート、下部シート及び上部シートと下部シートとの間に位置した吸収コアからなっている。このうち、上部シートは吸収コア上に位置する中央カバーと中央カバーの側方向に長く位置する側方向カバーからなる。中央カバーは液体を吸収して吸収コアに伝達する役割を遂行し、側方向カバーは軟らかい着用感を提供すると同時に液体の漏れを防止し、より大きい安定感を与える役割を遂行する。
従来の吸収製品では、TABCW, TBCW, SBWなどの不織布で側方向カバーが形成された。TBCW, SBWなどの不織布では、個別的なファイバの結合のための規則的な結合パターンが外部に表れていた。このような単調な結合パターンは、使用者に審美感を提供する面において非常に制約的であった。
【発明の開示】
【発明が解決しようとする課題】
【０００３】
本発明者は生理用ナプキン、おむつ、尿失禁パッド、パンティライナーなどの吸収製品において、人体から排出された液体を吸収する基本的な機能だけでなく、製品自体の形状や製品に刻まれた文様などを通じて使用者に美しさを感じさせ、心理的安定感を与えるなどの心理的側面での機能も非常に重要であるという点に注目した。本発明の目的は、従来の吸収製品の側方向カバーが単に不織布ファイバの結合パターンのみを外部に露出させ、心理的側面での機能を十分に行われなかった問題を克服し、側方向カバーに美しい文様を刻み入れ、吸収製品全体の美的価値を高めるものである。
【課題を解決するための手段】
【０００４】
本発明の吸収製品は、中央カバー、中央カバーの左右側縁部に位置し、中央カバーに一部重畳して接着剤により中央カバーに結合する側方向カバー、中央カバーと、側方向カバーが重畳した部位とクリンプ熱封止方式により結合する下部シート、中央カバーと下部シートとの間の空間に位置する吸収コアを備える。本発明の側方向カバーは不織布で形成され、側方向カバーの材料である不織布は複数の個別的な文様からなる文様を含む。本発明の側方向カバーの文様は、熱圧着エンボシング方式により形成され、熱圧着エンボシング方式により文様が刻まれるとき、圧縮ローラの回転方向に個別的な文様が互いに対して重畳して刻まれる。
また、本発明の吸収製品は、中央カバーと側方向カバーが別個の構成要素でなく、一つの構成要素の場合も可能である。この場合には、本発明の吸収製品は上部シート、縁部部分が上部シートと結合した下部シート及び上部シートと下部シートとの間の空間に位置する吸収コアを備える。上部シートは熱圧着エンボシング方式により形成された複数の個別的な文様からなる文様を含み、熱圧着エンボシング方式により文様が刻まれると、圧縮ローラの回転方向に個別的な文様が互いに対して重畳する。熱圧着方式により文様を具現するとき、不織布自体では厚さが高くて密度が低いが、熱圧着を用いて文様を刻む時に熱圧着ローラが不織布に付く文様部分では、圧着、熱変形によりほぼフィルム化が進行され、厚さが薄くなり密度が非常に高くなる。文様がある部分とない部分とのこのような密度の差により、密度が高い部分が文様として認識できるようになる。密度が低い部分は厚さが厚いが、この時の厚さは0.3mm乃至2mmが望ましく、密度が高い部分は厚さが薄いが、この時の厚さは0.03mm乃至1mmが望ましい。本発明の上部シートが単一の構成要素で形成されるとき、熱圧着エンボシングにより形成される文様が上部シート全体にかけて形成されることもでき、上部シートのうち側面部分にのみ形成されることができる。下部シートと結合し、吸収コアを取り囲む上部シートの部分が中央カバーと側方向カバーの二つの構成要素で形成される場合と単一の構成要素である上部シートで形成される場合において、エンボシング処理方式、エンボシング処理される材質の特性、刻まれる文様の特性、下部シートとの結合方式などはいずれも同一である。
【発明の効果】
【０００５】
本発明によると、側方向カバーに美しい文様を刻み入れ、吸収製品全体の美的価値を高めることができる。また、側方向カバーの材料に用いられる不織布上に不規則的な配列のデザインをエンボシング処理により刻み入れ、この不織布を側方向カバーとして用いるので、左側側方向カバーと右側側方向カバーのデザインが互いに同一でなく、1つのパッケージ内でも隣接吸収製品間に互いに異なるデザインを備えるようになる。このような点は、使用者に与える審美感を一層高めることができるようになる。一方、文様を刻むにおいても、個別の文様が互いに重畳するようにすることにより、熱圧着エンボシング工程で側方向カバーの材質になる不織布上に、より均等に文様を刻み入れることができる。また、体液の量が多い場合には、主吸収層の縁部を越えて広がることがあるが、中央カバー及び側方向カバーの重畳部位で、下部シートと熱封止を適用することにより体液の広がりが側方向カバーまで拡大されることを防げるようになる。
【発明を実施するための最良の形態】
【０００６】
以下で、図2をまず参照して本発明による吸収製品の一実施の形態について説明する。本発明の権利範囲は、以下に説明される実施の形態により制限されるのではない。
図2は本発明の吸収製品の断面図である。吸収製品は大きく、中央カバー(1)、側方向カバー(2)、下部シート(3)、吸収コア(4)からなる。中央カバー(1)の縁部付近で側方向カバー(2)は中央カバー(1)上に一部重畳する。この重畳部位に接着剤が塗布されることにより、中央カバー(1)と側方向カバー(2)が結合する。接着剤を塗布するにおいては、ビード(BEAD)やシムコーティング(SHIM COATING)方法を用いることが望ましく、塗布される接着剤の幅は0.5mm乃至5mmが望ましい。接着剤の種類としては、一般に用いられる接着剤を用いることもできるが、溶液流れ遮断の側面では、疎水性接着剤を用いることが望ましい。接着剤により結合した中央カバー(1)と側方向カバー(2)の重畳部位は、クリンプ(CRIMP)熱封止方式により下部シート(3)に結合する。吸収コア(4)は中央カバー(1)と下部シート(3)により囲まれた空間内に位置する。中央カバー(1)は穿孔フィルム、不織布または不織布とフィルムを積層することにより形成された物質で製作できる。不織布としてはTABCW(Through Air Bonded Carded Web), TBCW(Thermal Bonded Carded Web), SBW(Spun Bonded Web)またはスパンレース(Spunlace)が用いられる。どの材質で形成されるとしても、中央カバー(1)は液体を透過させる性質を有しなければならない。人体から排出された液体が吸収コア(4)で吸収されるためには、中央カバー(1)を必ず通過しなければならないためである。側方向カバー(2)の材質としては、TABCW, TBCW, SBW, スパンレースなどの不織布または不織布とフィルムの積層物が用いられる。側方向カバー(2)としては、疎水性材質と親水性材質がいずれも用いられるが、親水性材質を用いることがより望ましい。側方向カバー(2)には、審美感を呼び起こす文様が位置する。これについては図1を参照し、より詳細に説明する。
側方向カバーを形成する材質上の文様は、熱圧着エンボシング方式により形成される。図1に示された実施の形態では、花状の文様を有する側方向カバーが示されている。側方向カバーは、上部カバーと結合する前に熱圧着エンボシング方式により多様な文様を有することになる。側方向カバーの材料を熱圧着エンボシング処理するときに重要な点はエンボシングローラ(図示省略)の回転方向に個別の文様が重畳しているという点がある。図1のB部分を見ると、垂直方向に個別の文様が重畳しているという点を分かる。図1のA部分とC部分には重畳していない個別の文様があるが、これはこの部分に刻まれた文様と重畳する文様を有する上部または下部部分が切られたためである。もし、このように個別の文様を互いに重畳するようにしなければ、熱圧着エンボシング工程でエンボシングローラに刻まれた前後の文様間に空き空間が生じることになる。空き空間とは、ローラにより刻まれる文様のうち、(時間的に)前に刻まれる文様と後に刻まれる文様との間に余白があるということを意味する。このような空き空間により、刻む文様がある部分と文様がない部分との間で高さの差が発生し、これにより個別文様の最初に始まる部分では鮮明度が高く、終わりの部分では鮮明度が落ち、一個の個別文様内でも鮮明度の偏差が発生することがある。側方向カバーを形成する不織布は基本的に親水性材質であり、約10gsm乃至100gsmの坪量を有し、太さが10デニール(denier)、良好では3デニール以下の細かい繊維で構成される。様々な文様を熱圧着エンボシング方式により不織布上に刻む実験を反復的に実行した結果、曲線のみからなる文様または直線と曲線を適切に混合した文様が吸収製品と充分に調和し、審美感を効果的に呼び起こすという事実を発見した。また、使用者が文様を容易に認識することができるようにするためには、直線と曲線の線の太さが0.2mm以上、3mm以下の場合が有利であるという事実を発見した。側方向カバーを形成する不織布は、身体につく部分とその反対面がファジーな(fuzzy)面とスムーズな(smooth)面に区分できたり、または区分ができないこともあるが、区分できる場合には、スムーズな面が着用者の身体に接触するように配置することが望ましい。これはエンボシング処理された文様の鮮明度がファジーな面よりスムーズな面で優れて具現され、使用者により容易に認識できるためである。
【図面の簡単な説明】
【０００７】
【図１】側面カバー上に美的なエンボシングデザインを有する吸収製品を示した図面である。
【図２】吸収製品の断面図である。
【符号の説明】
【０００８】
1:中央カバー
2:側方向カバー
3:下部シート
4:吸収コア
【図１】
2007216031.tif 000003
【図２】
2007216031.tif 000004